(57)【要約】【課題】再生機能を有するホスト機器とこれに着脱可能な放送受信カードとからなる放送受信再生システムであって、放送信号中の時刻調整用信号を、伝送遅延のむらが生じないように放送受信カードからホスト機器に伝送することにより、ホスト機器での復号や再生の基準時刻となるカウンタを精度よく調整できるシステムを提供する。【解決手段】放送受信カード１００は、端子１９１〜１９４を通じてホスト機器２００からのクロック信号ＣＬＫに同期してホスト機器との間で受信制御用コマンド等と応答データとの送受信を行い、カード内部で発生したクロック信号ＳＣＫに同期して放送信号からストリームデータを抽出して、クロック信号ＳＣＫとそのデータストリームとを専用の端子１９５〜１９８を通じてホスト機器へ伝送する。ホスト機器は、クロック信号ＳＣＫに同期してデータストリームから時刻調整用信号を抽出してカウンタの調整に用いる。【選択図】　図３
2004088745.tif 000002
【特許請求の範囲】
【請求項１】
機器に着脱可能であり、機器に装着されて当該機器から電力を供給されて作動する放送受信装置であって、
伝送用端子と、
所定周期で伝送基準クロック信号を発生する伝送基準クロック発生手段と、
再生時刻調整用の情報を含むストリームデータについての放送信号を継続的に受信して、当該放送信号からストリームデータを、前記伝送基準クロック信号に同期して、抽出して前記伝送用端子を通じて前記機器へ伝送する受信伝送手段とを備える
ことを特徴とする放送受信装置。
【請求項２】
前記放送受信装置は更に、伝送クロック出力端子を備え、
前記伝送基準クロック発生手段は、発生した前記伝送基準クロック信号を前記伝送クロック出力端子を通じて前記機器に送信する
ことを特徴とする請求項１記載の放送受信装置。
【請求項３】
前記放送受信装置は更に、
１又は複数の通信用端子と、
放送信号の選定に係る制御データを含む１以上の制御データを前記通信用端子のいずれか１以上を通じて前記機器から逐次受信し、当該制御データに対する応答データを当該通信用端子のいずれか１以上を通じて当該機器へ送信する通信手段とを備え、
前記受信伝送手段の受信対象は、前記通信手段により受信されたいずれかの制御データに応じて選定される放送信号である
ことを特徴とする請求項２記載の放送受信装置。
【請求項４】
前記放送受信装置は更に、制御クロック受信用端子を備え、前記通信手段は、前記制御クロック受信用端子を通じて前記機器から継続的に制御クロック信号を受信し、前記制御クロック信号に同期して、前記制御データの受信及び応答データの送信を行う
ことを特徴とする請求項３記載の放送受信装置。
【請求項５】
前記受信伝送手段は、アンテナを介して前記放送信号を受信し、
前記ストリームデータは、トランスポートストリームであり、
前記再生時刻調整用の情報は、プログラムクロックリファレンスである
ことを特徴とする請求項４記載の放送受信装置。
【請求項６】
前記放送受信装置は更に、
制御クロック受信用端子と、
通信用端子と、
前記制御クロック受信用端子を通じて前記機器から継続的に制御クロック信号を受信し、放送信号の選定に係る制御データを含む１以上の制御データを前記通信用端子を通じて当該制御クロック信号に同期して前記機器から逐次受信する通信手段とを備え、
前記受信伝送手段の受信対象は、前記通信手段により受信されたいずれかの制御データに応じて選定される放送信号である
ことを特徴とする請求項２記載の放送受信装置。
【請求項７】
前記放送受信装置は更に、
割込信号通知用端子と、
所定の割込要因の発生を検知し、当該発生が検知された時に、前記割込信号通知用端子を通じて前記機器に割込信号を通知する割込通知手段とを備える
ことを特徴とする請求項６記載の放送受信装置。
【請求項８】
前記放送受信装置は、前記機器の有するＰＣカード規格に準拠したＰＣカードスロットに装着できる装置形状を有する
ことを特徴とする請求項２記載の放送受信装置。
【請求項９】
前記放送受信装置は、前記機器の有するＳＤＩＯ規格に準拠したＳＤカードスロットに装着できる装置形状を有する
ことを特徴とする請求項２記載の放送受信装置。
【請求項１０】
再生基準クロック調整用情報及び再生時刻指定情報を含むストリームデータについての放送信号を受信する放送受信装置と、装着スロットに装着された前記放送受信装置からストリームデータを取得して再生する再生装置とを備える放送受信再生システムであって、
前記放送受信装置は、
伝送用端子と、
所定周期で伝送基準クロック信号を発生する伝送基準クロック発生手段と、
放送信号を継続的に受信して、当該放送信号からストリームデータを、前記伝送基準クロック信号に同期して、抽出して前記伝送用端子を通じて前記再生装置へ伝送する受信伝送手段とを有し、
前記再生装置は、
前記放送受信装置を着脱可能なスロットであり、前記伝送用端子に対応するストリームデータ端子を含む装着スロットと、
前記ストリームデータ端子を通じて前記放送受信装置から伝送されるストリームデータを取得するストリームデータ取得手段と、
基準周波数の再生基準クロック信号を発生し、当該再生基準クロック信号をカウントすることにより再生基準時刻を計時する再生基準時刻計時手段と、
前記ストリームデータ端子を通じて、前記放送受信装置からストリームデータ中の再生基準クロック調整用情報が伝送された時と、当該再生基準クロック調整用情報の内容と、前記再生基準時刻計時手段により計時された再生基準時刻とを参照することにより、前記基準周波数を調整する再生基準クロック調整手段と、前記再生基準時刻計時手段により計時された再生基準時刻に基づき、前記ストリームデータ取得手段により取得されたストリームデータを、当該ストリームデータ中の再生時刻指定情報に応じた時刻に合わせて再生する再生手段とを有する
ことを特徴とする放送受信再生システム。
【請求項１１】
前記放送受信装置は、更に伝送クロック出力端子を有し、前記伝送基準クロック発生手段は、発生した前記伝送基準クロック信号を前記伝送クロック出力端子を通じて前記再生装置に送信し、
前記装着スロットは、更に前記伝送クロック出力端子に対応する伝送クロック入力端子を含み、
前記ストリームデータ取得手段は、前記伝送クロック入力端子を通じて伝送基準クロック信号を受信し、前記ストリームデータを当該伝送基準クロック信号に同期して取得する
ことを特徴とする請求項１０記載の放送受信再生システム。
【請求項１２】
前記放送受信装置は更に、
制御クロック受信用端子と、
１又は複数の通信用端子と、
前記制御クロック受信用端子を通じて継続的に制御クロック信号を受信し、放送信号の選定に係る制御データを含む１以上の制御データを前記通信用端子のいずれか１以上を通じて前記再生装置から当該制御クロック信号に同期して逐次受信し、当該制御データに対する応答データを当該通信用端子のいずれか１以上を通じて当該再生装置へ当該制御クロック信号に同期して送信する通信手段とを有し、
前記装着スロットは、更に、前記制御クロック受信用端子に対応する制御クロック供給用端子と、前記通信用端子に対応する制御用端子とを含み、
前記再生装置は更に、
前記装着スロットに装着された前記放送受信装置に、駆動用の電力を供給する電力供給手段と、
前記制御クロック供給用端子を通じて一定周期の制御クロック信号を前記放送受信装置に継続的に供給するとともに、前記制御用端子を通じて１以上の制御データを前記放送受信装置へ当該制御クロック信号に同期させて逐次送信し、当該制御用端子を通じて前記放送受信装置からの応答データを当該制御クロック信号に同期して受信する装置制御手段とを有する
ことを特徴とする請求項１１記載の放送受信再生システム。
【請求項１３】
機器に着脱可能であり、機器に装着されて作動し、機器から命令コマンドにより制御される放送受信装置であって、
再生時刻調整用の情報を含むストリームデータについての放送信号を継続的に受信して、当該放送信号からストリームデータを、一定周期の伝送基準クロック信号に同期して、抽出して前記機器へ伝送する受信伝送手段を備える
ことを特徴とする放送受信装置。
【発明の詳細な説明】
【０００１】
【発明の属する技術分野】
本発明は、デジタル放送受信再生技術に関し、特に、放送波を受信する放送受信装置をデジタルストリームの再生機器に装着して形成されるデジタル放送受信再生システムに関する。
【０００２】
【従来の技術】
近年、集積回路の微細化技術の進展等を背景として、高性能な各種小型電子機器が多数開発され、急速に普及しつつある。小型電子機器としては、例えば、携帯情報端末（Ｐｅｒｓｏｎａｌ　Ｄｉｇｉｔａｌ　Ａｓｓｉｓｔａｎｃｅ：ＰＤＡ）、携帯電話機、デジタルカメラ、ノート型パソコン等がある。なお、携帯電話機等には、ビデオストリームの再生機能等を有するものもある。
【０００３】
これらの小型電子機器には、メモリを増加する或いは機能を拡張するために、いわゆるメモリカードや入出力カード等の各種カード型装置を、交換装着するスロット、例えばＰＣカードスロット、ＳＤ（Ｓｅｃｕｒｅ　Ｄｅｖｉｃｅ）カードスロット等、を備えるものもある。
ここで、ＰＣカードスロットは、ＰＣＭＣＩＡ（Ｐｅｒｓｏｎａｌ　Ｃｏｍｐｕｔｅｒ　Ｍｅｍｏｒｙ　Ｃａｒｄ　Ｉｎｔｅｒｎａｔｉｏｎａｌ　Ａｓｓｏｃｉａｔｉｏｎ）等により策定されているＰＣカード規格に準拠したメモリ又はＩＯ（Ｉｎｐｕｔ／Ｏｕｔｐｕｔ）機能を有する任意のＰＣカードを装着可能なスロットである。また、ＳＤカードスロットは、デジタルカメラ等の記憶装置として普及したＳＤ規格に準拠したＳＤカード、或いはＳＤ規格を拡張し各種入出力装置の開発を可能にしたＳＤＩＯ規格に準拠したＳＤＩＯ（Ｓｅｃｕｒｅ　Ｄｅｖｉｃｅ　Ｉｎｐｕｔ／Ｏｕｔｐｕｔ）カードとを装着可能なスロットである。なお、小型電子機器に着脱可能なＩＯ装置に係る技術については、例えば特許文献１に記載されている。
【０００４】
また、近年、情報通信技術の進展を背景とし、デジタル放送が実用化されており、衛星デジタル放送や地上波デジタル放送を実施している国もある。
例えば日本においては、既に衛星デジタル放送が実施されており、また、２００３年末には地上波デジタル放送が開始される予定であり、上述の小型電子機器のうち携帯電話機等をターゲットとした放送も計画されている。
【０００５】
以下、従来の放送受信再生装置における番組の再生タイミングの制御について説明する。
従来の一般的なデジタルテレビ放送の放送装置は、ＭＰＥＧ（Ｍｏｖｉｎｇ　ＰｉｃｔｕｒｅＥｘｐｅｒｔｓ　Ｇｒｏｕｐ）２システム規格（ＩＳＯ／ＩＥＣ１３８１８−１）に基づき、番組内容となる映像がＭＰＥＧ符号化されてなるビデオストリーム、音声が符号化されてなるオーディオストリーム等を時分割多重してトランスポートストリーム（ＴＳ）の形式にして、デジタル変調して放送波として送出する。
【０００６】
デジタル放送を受信する放送受信再生装置側でビデオストリームやオーディオストリームが、放送側で意図した時刻に従って正しく同期再生されることを目的として、ＴＳ内には、ＤＴＳ（Ｄｅｃｏｄｉｎｇ　Ｔｉｍｅ　Ｓｔａｍｐ）、ＰＴＳ（Ｐｒｅｓｅｎｔａｔｉｏｎ　Ｔｉｍｅ　Ｓｔａｍｐ）、ＰＣＲ（Ｐｒｏｇｒａｍ　Ｃｌｏｃｋ　Ｒｅｆｅｒｅｎｃｅ）という情報が含まれる。ここで、ＤＴＳ及びＰＴＳは、ビデオストリーム又はオーディオストリームのひとまとまりの単位毎について復号再生すべき時を示すタイムスタンプであり、９０ｋＨｚの精度を有する。
【０００７】
また、放送受信再生装置内で２７ＭＨｚのクロックで計測され、ＭＰＥＧ復号器の復号の時刻基準を示すクロックであるＳＴＣ（Ｓｙｓｔｅｍ　Ｔｉｍｅ　Ｃｌｏｃｋ）の値を、放送側で意図した値になるように校正するためのクロック情報がＰＣＲである。放送側は、同様に２７ＭＨｚのクロックで計測した値をＰＣＲとして０．１ミリ秒以下の間隔でＴＳに多重化して放送している。なお、ＭＰＥＧ２システム規格においては、復号器が、ＰＣＲで示される放送側、即ち符号器側のシステムクロックと同一波形のＳＴＣを得るために、ＰＬＬ（Ｐｈａｓｅ　Ｌｏｃｋｅｄ　Ｌｏｏｐ）機能を有すべきとされている。
【０００８】
図１は、従来の放送受信再生装置の機能構成図である。
従来の放送受信再生装置９０は、アンテナ９１と、放送受信部９２と、いわゆるＴＳデコーダであるストリーム処理部９３と、時刻情報検出部９９と、ＳＴＣのカウンタである時刻カウント部９６と、基準周波数制御部９７と、発振器９８と、ストリームバッファ９４と、ストリーム再生部９５とから構成される。
【０００９】
放送受信部９２は、チューナと復調部とを有し、チューナで同調してアンテナから受信したデジタル変調されている放送ストリームを復調し、その結果として得られるＴＳを、ストリーム処理部９３及び時刻情報検出部９９に出力する。
ストリーム処理部９３は、入力されたＴＳを構成する各ＴＳパケットのヘッダ解析を行い、複数のＴＳパケットを統合してＰＥＳ（Ｐａｃｋｅｔｉｚｅｄ　Ｅｌｅｍｅｎｔａｒｙ　Ｓｔｒｅａｍ）化を行い、ＰＥＳ化されたビデオストリーム及びオーディオストリームを、記憶領域であるストリームバッファ９４に一時的に蓄積する。
【００１０】
ストリームバッファ９４は、ストリーム再生部の要求に応じ、ＰＥＳ化されたビデオストリーム及びオーディオストリームをストリーム再生部９５に送出する。
ストリーム再生部９５は、入力されたビデオストリーム及びオーディオストリームのＰＥＳを、ＰＥＳのヘッダに付加されているＤＴＳ或いはＰＴＳと時刻カウント部９６から受け取るＳＴＣとが等しくなったタイミングで、復号し再生する。
【００１１】
時刻カウント部９６は基準時間であるＳＴＣをカウントするためのカウンタであり、発振器９８（ＶＣＯ：Ｖｏｌｔａｇｅ　Ｃｏｎｔｒｏｌ　Ｏｓｃｉｌｌａｔｏｒ）から発される２７ＭＨｚを基準とする周波数のクロックに同期してカウントアップを行い、カウント値であるＳＴＣを基準周波数制御部９７とストリーム再生部９５に送出する。
時刻情報検出部９９は、ＴＳ中のＰＣＲを検出し、ＰＣＲの値及びＰＣＲの検出タイミングを基準周波数制御部９７に伝える。複数バイトのデータであるＰＣＲの最終バイトが検出されたタイミングがＰＣＲの検出タイミングである。なお、放送側でのＰＣＲ送出タイミングと時刻情報検出部９９におけるＰＣＲの検出タイミングとは、放送経路及び受信から検出までの経路における伝送遅延により差異が生じるが、基本的に各瞬時において、差異はある程度同じであることが予定されている。
【００１２】
基準周波数制御部９７は、時刻情報検出部９９で検出したＰＣＲの値と時刻カウント部９６からのＳＴＣとの入力を受け、時刻情報検出部９９から伝えられたＰＣＲ検出のタイミングにおいて、ＰＣＲとＳＴＣの差を計算しＤ／Ａ変換した後、ローパスフィルタをかけて得られる信号を発振器９８への制御電圧として印加する。この発振器９８の制御により、放送側、即ち符号器側のシステムクロックと完全に一致したＳＴＣが時刻カウント部９６からストリーム再生部９５に伝達されることとなり、放送側で意図したタイミングでのビデオストリーム及びオーディオストリームの再生が実現される。
【００１３】
もし、放送受信再生装置９０が、ＴＳ中のＰＣＲを検出して、これを用いてＳＴＣの設定及び校正を実施しなければ、放送側、即ち符号器側のシステムクロックに対し、ＳＴＣが進む或いは遅れるため、復号や再生を実行するタイミングにデータが完全に到着していない、或いはデータの到着に対し、復号や再生の処理が遅くてメモリがオーバーフローし、繰り返し或いはコマ落ちが発生してしまう。
【００１４】
【特許文献１】
特開２００１−３０７０２５号公報
【００１５】
【発明が解決しようとする課題】
ところで、上述した携帯電話機等の小型電子機器により、デジタル放送を受信して再生できるようにするために、小型電子機器本体（以下、「ホスト機器」という。）に再生機能を担わせ、ＳＤＩＯカードやＰＣカード等のホスト機器に着脱可能な小型付属装置（以下、「ＩＯカード」という。）に放送受信機能を担わせる形態を採ることとした場合には、次の点が問題となる。
【００１６】
ＰＣカード規格或いはＳＤＩＯ規格に準拠した従来のＩＯカードは、ホスト機器との間でデータの送受を行う場合には、ホスト機器からのクロック信号を受けて、このクロック信号に同期して、一定のフォーマットに整形したデータの送受を行っている。
この従来のＩＯカードと同様の方法で、放送受信機能を担うＩＯカードが再生機能を担うホスト機器に対して、放送信号から抽出したトランスポートストリームを一定のフォーマットに整形して断続的に伝達しただけでは、再生機器側で、再生タイミングを調整するためのＳＴＣをトランスポートストリーム内のＰＣＲによって正確に調整することが不可能となる。即ち、ＩＯカードから一定のフォーマットに整形して断続的に、ＰＣＲを含むトランスポートストリームが伝送されるのであれば、ＰＣＲの受信タイミングと、再生機器側におけるＰＣＲの検出タイミングとの差異の量が各瞬時で大きく変動し得るため、放送側で意図した通りに高い精度でＳＴＣを調整することが不可能となる。
【００１７】
そこで、本発明は、上記問題に鑑みてなされたものであり、再生機能を有するホスト機器と、ホスト機器に着脱可能な放送受信装置、つまり放送受信機能を有するＩＯカードとからなる放送受信再生システムであって、復号や再生の基準時刻となるＳＴＣをある程度高い精度で調整することができる放送受信再生システムを提供すること、及びその放送受信装置を提供することを目的とする。
【００１８】
【課題を解決するための手段】
上記課題を解決するために、本発明に係る放送受信装置は、機器に着脱可能であり、機器に装着されて当該機器から電力を供給されて作動する放送受信装置であって、伝送用端子と、所定周期で伝送基準クロック信号を発生する伝送基準クロック発生手段と、再生時刻調整用の情報を含むストリームデータについての放送信号を継続的に受信して、当該放送信号からストリームデータを、前記伝送基準クロック信号に同期して、抽出して前記伝送用端子を通じて前記機器へ伝送する受信伝送手段とを備えることを特徴とする。
【００１９】
上記構成により、ホスト機器にセットされた放送受信装置から、ホスト機器に、一定周期のクロック信号に同期して、放送信号から抽出されたストリームデータが伝送されるため、そのストリームデータにその受信タイミングをも必要要件とする時刻制御用の情報が含まれている場合において、ホスト機器側で精度良くその時刻制御用の情報を検出することができるようになる。従って、ホスト機器は、例えばストリームデータの再生時刻を特定する基準となるホスト機器内の時計を、精度良く調整することができるようになる。
【００２０】
また、本発明に係る放送受信再生システムは、再生基準クロック調整用情報及び再生時刻指定情報を含むストリームデータについての放送信号を受信する放送受信装置と、装着スロットに装着された前記放送受信装置からストリームデータを取得して再生する再生装置とを備える放送受信再生システムであって、前記放送受信装置は、伝送用端子と、所定周期で伝送基準クロック信号を発生する伝送基準クロック発生手段と、放送信号を継続的に受信して、当該放送信号からストリームデータを、前記伝送基準クロック信号に同期して、抽出して前記伝送用端子を通じて前記再生装置へ伝送する受信伝送手段とを有し、前記再生装置は、前記放送受信装置を着脱可能なスロットであり、前記伝送用端子に対応するストリームデータ端子を含む装着スロットと、前記ストリームデータ端子を通じて前記放送受信装置から伝送されるストリームデータを取得するストリームデータ取得手段と、基準周波数の再生基準クロック信号を発生し、当該再生基準クロック信号をカウントすることにより再生基準時刻を計時する再生基準時刻計時手段と、前記ストリームデータ端子を通じて、前記放送受信装置からストリームデータ中の再生基準クロック調整用情報が伝送された時と、当該再生基準クロック調整用情報の内容と、前記再生基準時刻計時手段により計時された再生基準時刻とを参照することにより、前記基準周波数を調整する再生基準クロック調整手段と、前記再生基準時刻計時手段により計時された再生基準時刻に基づき、前記ストリームデータ取得手段により取得されたストリームデータを、当該ストリームデータ中の再生時刻指定情報に応じた時刻に合わせて再生する再生手段とを有することを特徴とする。
【００２１】
上記構成により、再生装置のスロットに挿入された放送受信装置から、再生装置に、一定周期のクロック信号に同期して、放送信号から抽出されたストリームデータが伝送されるため、そのストリームデータにその受信タイミングをも必要要件とする時刻制御用の情報が含まれている場合において、再生装置側で精度良くその時刻制御用の情報を検出することができるようになり、この結果として、再生装置は、ストリームデータの再生基準時刻を計時する内部時計を、精度良く調整することができ、適切な時刻にストリームデータを再生することができるようになる。
【００２２】
また、本発明に係る放送受信装置は、機器に着脱可能であり、機器に装着されて作動し、機器から命令コマンドにより制御される放送受信装置であって、再生時刻調整用の情報を含むストリームデータについての放送信号を継続的に受信して、当該放送信号からストリームデータを、一定周期の伝送基準クロック信号に同期して、抽出して前記機器へ伝送する受信伝送手段を備えることを特徴とする。
【００２３】
上記構成により、ホスト機器にセットされた放送受信装置から、ホスト機器に、一定周期のクロック信号に同期して、放送信号から抽出されたストリームデータが伝送されるため、そのストリームデータにその受信タイミングをも必要要件とする時刻制御用の情報が含まれている場合において、ホスト機器側で精度良くその時刻制御用の情報を検出して利用することができるようになる。
【００２４】
【発明の実施の形態】
＜１．実施の形態１＞
以下、本発明の実施の形態１に係る放送受信再生システムについて、図面を用いて説明する。
＜１−１．構成＞
図２は、本発明の実施の形態１に係る放送受信再生システムの概観図である。
【００２５】
放送受信再生システムは、ビデオストリーム及びオーディオストリームの再生機能を有する携帯情報端末であるホスト機器２００と、放送受信カード１００とから構成される。
ホスト機器２００は、ディスプレイ２０２とＰＣカードスロット２０１を備える。また、放送受信カード１００は、デジタル放送受信機能を有するＰＣカード型の放送受信装置であり、ホスト機器２００等のＰＣカード型のスロットを有する機器に対して着脱可能である。図２中の矢印は、放送受信カード１００が、ＰＣカードスロット２０１にユーザによって挿入されることにより、ホスト機器２００に装着されること示している。
【００２６】
なお、放送受信カード１００がホスト機器２００に装着された状態において、放送受信カード１００の入出力用の各端子とホスト機器２００の入出力用の各端子とが整合し、その各端子を通じて、両者間でデータの送受が行われるようになる。
以下、放送受信再生システムの機能構成について説明する。
【００２７】
図３は、放送受信カード１００及びホスト機器２００の機能ブロック図である。
放送受信カード１００は、ＭＰＥＧ２システム規格におけるＴＳの放送を受信する装置であり、制御部１１０、クロック発生部１２０、放送受信部１３０、アンテナ１３１及び入出力用の各端子を備える。ここで、端子には、ＣＬＫ端子１９１、ＩＮＴ端子１９２、ＣＭＤ端子１９３、ＤＡＴ端子１９４、ＳＣＫ端子１９５、ＳＤＡＴＡ端子１９６、ＰＳＹＮＣ端子１９７、ＤＥＮ端子１９８等がある。なお、図示しない電源端子を通じて、放送受信カード１００は、ホスト機器２００から電力の供給を受けて作動する。
【００２８】
制御部１１０は、ホスト機器２００からＣＬＫ端子１９１を通じてクロック信号（ＣＬＫ）を受信し、そのクロック信号に基づくタイミングで、ＰＣカード規格等として予め定められた規格に準拠した方式で、ホスト機器２００との間で各種データの送受を行い、放送受信部１３０を含む放送受信カード１００の各部を制御するものである。なお、その送受データには、割込信号（ＩＮＴ）、命令コマンド（ＣＭＤ）、その他のデータ（ＤＡＴ）があり、命令コマンドには、カードの機能種別を識別する機能ＩＤを問い合わせるコマンドや、受信する周波数等を指定する受信制御に係るコマンド等が含まれる。
【００２９】
クロック発生部１２０は、例えば２ＭＨｚ等の一定周波数のクロック信号（ＳＣＫ）を発生させ、そのクロック信号（ＳＣＫ）を放送受信部１３０に伝達するとともに、そのクロック信号をＳＣＫ端子１９５を通じてホスト機器２００へと送出するものである。
放送受信部１３０は、放送波からアンテナ１３１により受信された、デジタル変調されている放送信号を、クロック信号（ＳＣＫ）に同期したタイミングで、復調してＴＳパケットを逐次抽出し、抽出したＴＳパケットをＳＤＡＴＡ端子１９６を通じてホスト機器２００に逐次送出する機能を有する。なお、放送受信部１３０は、ＴＳパケット間にはパリティデータを埋めて送出する。更に、放送受信部１３０は、ＴＳパケットの切り出し用の同期信号（ＰＳＹＮＣ）とデータイネーブル信号（ＤＥＮ）とを、それぞれＰＳＹＮＣ端子１９７、ＤＥＮ端子１９８を通じてホスト機器２００に送出する。
【００３０】
また、ホスト機器２００は、ＭＰＥＧ２システム規格におけるＴＳから、放送番組内容である映像や音声を抽出して再生する機能を有する装置であり、カードインタフェース（Ｉ／Ｆ）部２１０、ストリーム処理部２２０、ストリームバッファ２３０、ストリーム再生部２４０、時刻カウント部２５１、基準周波数制御部２５２、発振器２５３及び入出力用の各端子を備える。ここで、端子には、ＣＬＫ端子２９１、ＩＮＴ端子２９２、ＣＭＤ端子２９３、ＤＡＴ端子２９４、ＳＣＫ端子２９５、ＳＤＡＴＡ端子２９６、ＰＳＹＮＣ端子２９７、ＤＥＮ端子２９８等がある。
【００３１】
カードＩ／Ｆ部２１０は、ホスト機器２００内のＣＰＵの制御を受けて、放送受信カード１００とのデータ送受インタフェースを担い、ホスト機器２００内で発生させた一定周波数のクロック信号（ＣＬＫ）を放送受信カード１００に伝達し、そのクロック信号（ＣＬＫ）に同期したタイミングで、命令コマンドを放送受信カード１００に送信し、これに付随して必要であればデータをも送信し、また放送受信カード１００から命令コマンドに対応する応答データを受信する機能を有する。なお、カードＩ／Ｆ部２１０には、ホスト機器２００内のＣＰＵが、ユーザＩ／Ｆを通じて受けたユーザ操作等に応じて、命令コマンドを送出する。また、ホスト機器２００内のＣＰＵは、ホスト機器２００内のメモリに格納された制御用プログラムを実行することにより各種制御動作を行うものである。
【００３２】
ストリーム処理部２２０は、ＴＳパケットからＰＣＲを抽出する時刻情報検出部２２１を含み、ＳＣＫ端子２９５、ＳＤＡＴＡ端子２９６、ＰＳＹＮＣ端子２９７及びＤＥＮ端子２９８のそれぞれを通じて、放送受信カード１００から伝送されるクロック信号（ＳＣＫ）、ＴＳパケットを含むデータ、ＰＳＹＮＣ信号及びＤＥＮ信号を逐次受信し、ＰＳＹＮＣ信号及びＤＥＮ信号を参照して各ＴＳパケットを抽出し、各ＴＳパケットのヘッダ解析を行い、複数のＴＳパケットを統合してＰＥＳ（Ｐａｃｋｅｔｉｚｅｄ　Ｅｌｅｍｅｎｔａｒｙ　Ｓｔｒｅａｍ）化を行い、ＰＥＳ化されたビデオストリーム及びオーディオストリームをストリームバッファ２３０に一時的に蓄積する機能を有する。ここで時刻情報検出部２２１は、ＴＳパケットのヘッダ解析を行い、ＴＳパケットからＰＣＲを検出する度に、ＰＣＲの検出タイミング、即ち複数バイトのデータであるＰＣＲの最終バイトが検出されたタイミングと、ＰＣＲの値とを基準周波数制御部２５２に伝える機能を有する。なお、ストリーム処理部２２０は、各ＴＳパケットを放送受信カード１００から受信し次第、逐次ＴＳパケットのヘッダ解析を行うように構成されている。
【００３３】
ストリームバッファ２３０は、メモリ領域であり、ストリーム処理部２２０からＰＥＳ化されたビデオストリーム及びオーディオストリームを格納され、ストリーム再生部の要求に応じ、そのビデオストリーム及びオーディオストリームをストリーム再生部２４０に送出する機能を有する。
ストリーム再生部２４０は、入力されたビデオストリーム及びオーディオストリームのＰＥＳを、ＰＥＳのヘッダに付加されているＤＴＳ或いはＰＴＳと時刻カウント部２５１から受け取るＳＴＣとが等しくなったタイミングで、復号し再生する機能を有する。
【００３４】
時刻カウント部２５１は基準時間であるＳＴＣをカウントするためのカウンタであり、発振器（ＶＣＯ：Ｖｏｌｔａｇｅ　Ｃｏｎｔｒｏｌ　Ｏｓｃｉｌｌａｔｏｒ）２５３から発される２７ＭＨｚを基準とする周波数のクロックに同期してカウントアップを行い、カウント値であるＳＴＣを基準周波数制御部２５２とストリーム再生部２４０に送出する機能を有する。
【００３５】
基準周波数制御部２５２は、時刻情報検出部２２１で検出したＰＣＲの値と時刻カウント部２５１からのＳＴＣとの入力を受け、時刻情報検出部２２１から伝えられたＰＣＲ検出のタイミングにおいて、ＰＣＲとＳＴＣの差を計算しＤ／Ａ変換した後、ローパスフィルタをかけて得られる信号を発振器２５３への制御電圧として印加する。この発振器２５３の制御により、放送側、即ち符号器側のシステムクロックと完全に一致したＳＴＣが時刻カウント部２５１からストリーム再生部２４０に伝達されることとなり、放送側で意図したタイミングでのビデオストリーム及びオーディオストリームの再生が実現される。
【００３６】
＜１−２．データ＞
以下、上述の放送受信再生システムにおいて扱われるデータについて説明する。
まず、放送受信再生システムにより受信される放送データについて説明する。この放送受信再生システムが受信するデジタル放送は、ＭＰＥＧ２システム規格、ＤＶＢ−ＳＩ（Ｄｉｇｉｔａｌ　Ｖｉｄｅｏ　Ｂｒｏａｄｃａｓｔｉｎｇ　−　Ｓｅｒｖｉｃｅ　Ｉｎｆｏｒｍａｔｉｏｎ）規格等に準拠したものである。
【００３７】
図４は、エレメンタリストリーム（ＥＳ）とＴＳパケットとの関係を示す図である。
ＥＳ３１０は、分割され、ヘッダを付加されてＰＥＳ３２０になり、ＰＥＳ３２０は、１８４バイト毎に分割され、４バイトのヘッダを付加され、１８８バイトのＴＳパケット３３０になる。
【００３８】
図５は、ＰＥＳとＴＳとの関係を示す図である。
通常、複数の放送番組が１つのＴＳとして放送される。各放送番組の映像内容であるビデオストリームについてのＰＥＳ及び音声内容であるオーディオストリームについてのＰＥＳは、時分割多重化され、ＴＳを構成する。
即ち、ＭＰＥＧ２システム規格に準じたＴＳを放送する放送装置においては、映像信号又は音声信号を圧縮符号化し、独立して復号可能な単位であるアクセスユニット（ＡＵ）のデータ列である映像エレメンタリストリーム（映像ＥＳ）又は音声エレメンタリストリーム（音声ＥＳ）にし、映像ＥＳ又は音声ＥＳをその属性を表すストリームＩＤ、復号用の時刻情報（ＤＴＳ）、表示用の時刻情報（ＰＴＳ）等をヘッダとして付加してパケット化することにより、パケット化された映像エレメンタリストリーム（映像ＰＥＳ）又はパケット化された音声エレメンタリストリーム（音声ＰＥＳ）を生成し、映像ＰＥＳ、音声ＰＥＳ及び他のデータ、例えばＰＣＲ３３９、ＰＡＴ（Ｐｒｏｇｒａｍ　Ａｓｓｏｃｉａｔｉｏｎ　Ｔａｂｌｅ）、ＰＭＴ（Ｐｒｏｇｒａｍ　Ｍａｐ　Ｔａｂｌｅ）等を、時分割多重化することによりＴＳを生成してデジタル変調して放送として出力する。
【００３９】
図６は、ＴＳパケットのデータ構成を示す図である。
ＴＳパケット３３０は、ヘッダ部分に、パケットの内容であるストリームの属性を識別するパケット識別子（ＰＩＤ）や、パケットがアダプテーションフィールド又はペイロード又はその両方のいずれで構成されるかを示すフラグ等を含み、形式パターン３３１〜３３３のいずれかの形式で構成される。なお、ＰＣＲは、アダプテーションフィールド内に配置される。
【００４０】
次に、ホスト機器２００と放送受信カード１００との間で送受信されるデータについて説明する。
図７は、ホスト機器と放送受信カードとの間で送受信される命令コマンド及び応答データの構成の一例を示す図である。
同図中の「Ｓ」はスタートビット、「Ｅ」はエンドビットを表している。スタートビットとエンドビットとの間に、カードの機能ＩＤを問い合わせる命令コマンドや、受信周波数等を指定する命令コマンド等、或いは機能ＩＤや状態を返却する応答データ等と、ＣＲＣ（Ｃｙｃｌｉｃ　Ｒｅｄｕｎｄａｎｃｙ　Ｃｈｅｃｋ）とが置かれている。
【００４１】
図８は、ホスト機器と放送受信カードとの間で送受信される各信号についてのタイミングチャートである。
同図では、ホスト機器２００から放送受信カード１００に連続的に送られるクロック（ＣＬＫ）信号４０１と、ホスト機器２００から放送受信カード１００に必要時に送られる命令コマンド（ＣＭＤ）信号４０２と、例えば命令コマンドに応答して放送受信カード１００からホスト機器２００に送られるデータ（ＤＡＴ）信号４０３とを示している。
【００４２】
ＣＭＤ信号４０２とＤＡＴ信号４０３とは、ホスト機器２００からのＣＬＫ信号４０１に同期して送受されるようになっている。
図９は、放送受信カード１００からホスト機器２００に送信される各信号についてのタイミングチャートである。
ＴＳパケットとパリティデータとを含むデータ（ＳＤＡＴＡ）信号４１２は、放送受信カード１００中のクロック発生部１２０により連続的に発され送信されるクロック（ＳＣＫ）信号４１１に同期して、放送受信部１３０により送信される信号である。
【００４３】
ＤＥＮ信号４１３は、データの有効期間を示す信号、即ち、放送受信部１３０により、ＳＤＡＴＡ信号がＴＳパケットかパリティデータつまりＴＳパケット以外の部分かの別を示すために生成され、送出される信号である。
また、ＰＳＹＮＣ信号４１４は、放送受信部１３０により、各ＴＳパケット本体の先頭を送出するタイミングでのみアクティブになるように生成され、送出される信号である。
【００４４】
＜１−３．動作＞
以下、放送受信カード１００がホスト機器２００に装着された状態で構成される放送受信再生システムの動作について説明する。
放送受信カード１００が、ホスト機器２００に装着された状態においては、ＣＬＫ端子１９１とＣＬＫ端子２９１とが接続され、ＩＮＴ端子１９２とＩＮＴ端子２９２とが接続され、ＣＭＤ端子１９３とＣＭＤ端子２９３とが接続され、ＤＡＴ端子１９４とＤＡＴ端子２９４とが接続され、ＳＣＫ端子１９５とＳＣＫ端子２９５とが接続され、ＳＤＡＴＡ端子１９６とＳＤＡＴＡ端子２９６とが接続され、ＰＳＹＮＣ端子１９７とＰＳＹＮＣ端子２９７とが接続され、ＤＥＮ端子１９８とＤＥＮ端子２９８とが接続される。
【００４５】
ホスト機器２００は、放送受信カード１００に対してカードＩ／Ｆ部２１０から一定周波数のクロック信号（ＣＬＫ）をＣＬＫ端子２９１を通じて送出し、例えばユーザによる放送受信再生の指示操作を検出する等に応じて、ＣＰＵによりカードＩ／Ｆ部２１０を介して、命令コマンド（ＣＭＤ）をＣＭＤ端子２９３を通じて送信して、必要に応じて応答データ（ＤＡＴ）をＤＡＴ端子２９４から受信して参照する。
【００４６】
例えば、ホスト機器２００のＣＰＵは、カードの機能種別を問い合わせる命令コマンドを送信し、応答データを受信することにより、もしも放送受信機能を有しないＰＣカードがＰＣカードスロット２０１に挿入されていると判明した場合にはエラーメッセージのディスプレイ２０２への表示を行い、応答データにより放送受信機能を有するカードが挿入されていることが判明した場合には、ユーザ操作に応じて、受信すべき放送周波数を指定した命令コマンド等を、そのカード即ち放送受信カード１００に送信する。
【００４７】
一方、放送受信カード１００は、ホスト機器２００からの命令コマンド（ＣＭＤ）に対応する制御処理を行うとともに、デジタル放送を受信する放送受信処理を行う。
図１０は、放送受信カードの行う制御処理及び放送受信処理を示すフローチャートである。
【００４８】
放送受信カード１００の制御部１１０は、ホスト機器２００からのクロック信号（ＣＬＫ）を、ＣＬＫ端子１９１を通じて連続的に受信し、このクロック信号に同期して命令コマンド（ＣＭＤ）を、ＣＭＤ端子１９３を通じて受信する（ステップＳ１１）。
続いて制御部１１０は、命令コマンドに応じた制御を行い、その結果を示す応答データ（ＤＡＴ）をＤＡＴ端子１９４を通じてホスト機器２００に送信する（ステップＳ１２）。このステップＳ１１及びＳ１２は、命令コマンド毎に繰り返し実行される。
【００４９】
コマンドに応じた制御の内容は、例えば命令コマンドが受信すべき放送周波数の変更指定をしたものならば、放送受信部１３０を制御して受信周波数の変更を行って、変更完了の旨を示す応答データ（ＤＡＴ）をＤＡＴ端子１９４を通じて送出するというものであり、例えば命令コマンドが機能種別を問い合わせるものならば、放送受信カード内の不揮発性メモリ部分に記録されているところの放送受信機能を有することを示す情報を応答データ（ＤＡＴ）としてＤＡＴ端子１９４を通じて送出するというものである。なお、制御部１１０は、放送受信カード１００において所定の割込要因の発生を検知した時には、ＩＮＴ端子１９２を通じて割込信号（ＩＮＴ）をホスト機器２００に送信し、ホスト機器２００は、その割込信号をＩＮＴ端子２９２を通じて受信して、これに対応して予め定められている処理、例えばエラーメッセージのディスプレイへの表示処理等を行う。
【００５０】
また、放送受信カード１００の放送受信部１３０は、制御部１１０から制御を受けると、例えば内部のチューナに、指定された周波数の放送を受信させる等、制御に応じた動作を行い（ステップＳ２１）、クロック発生部１２０の発生するクロック信号に同期し、アンテナ１３１を介して得られる放送受信信号から、デジタルデータ即ちＴＳパケットを逐次抽出して、ＴＳパケット間にパリティデータをセットして、ＳＤＡＴＡ端子１９６を通じて、ホスト機器２００に伝送する（ステップＳ２２）。なお、放送受信部１３０は、図９に示したようにＳＤＡＴＡ信号４１２、ＤＥＮ信号４１３及びＰＳＹＮＣ信号４１４を伝送する。また、クロック発生部１２０の発生するクロック信号はＳＣＫ端子１９５を通じてホスト機器２００に伝送される。
【００５１】
また、このように伝送されたＴＳパケット群、つまりＴＳや、クロック信号（ＳＣＫ）等は、ホスト機器２００のストリーム処理部２２０に入力され、これを受けてストリーム処理部２２０は、次のストリーム処理を行う。
図１１は、ストリーム処理部２２０により行われるストリーム処理を示すフローチャートである。
【００５２】
ストリーム処理部２２０は、放送受信カード１００からのクロック信号（ＳＣＫ）をＳＣＫ端子２９５を通じて連続的に受信し、このクロック信号（ＳＣＫ）に同期して、ＴＳパケット等のデータ（ＳＤＡＴＡ）をＳＤＡＴＡ端子２９６を通じて受信し、ＰＳＹＮＣ端子２９７を通じて受信したＰＳＹＮＣ信号と、ＤＥＮ端子２９８を通じて受信したＤＥＮ信号とを参照することにより、ＳＤＡＴＡ中のＴＳパケットを検出し、時刻情報検出部２２１において、ＴＳパケットからＰＣＲを検出し、ＴＳパケット内のアダプテーションフィールド中の複数バイトからなるＰＣＲの最終バイトを受信した時点、つまりＰＣＲを検出したタイミングと、そのＰＣＲを抽出して得られたＰＣＲの値とを、基準周波数制御部２５２に伝える（ステップＳ３１）。
【００５３】
このＰＣＲの検出タイミング及びＰＣＲの値を受けて、基準周波数制御部２５２は時刻カウント部２５１によりカウントされるＳＴＣの値を調整するための制御を行う。なお、この制御の方法は、従来と同様である。
また、ストリーム処理部２２０は、受信し検出した複数のＴＳパケットのペイロードを統合することにより、ＰＥＳ化されたビデオストリーム及びオーディオストリームを形成して、ストリームバッファ２３０に格納する（ステップＳ３２）。
【００５４】
なお、このステップＳ３１及びＳ３２は、繰り返し実行される。
ストリーム再生部２４０は、このステップＳ３２によりストリームバッファ２３０に格納されたビデオストリーム及びオーディオストリームを、取得して、時刻カウント部２５１のカウントするＳＴＣと、ＰＥＳヘッダ内のＤＴＳ或いはＰＴＳとの照合の上、ＳＴＣとＤＴＳ又はＰＴＳが等しくなったタイミングで、復号し再生することになる。
【００５５】
即ち、ストリーム再生部２４０は、ビデオストリーム及びオーディオストリームにおけるＡＵ毎に、ＳＴＣを基準時間として、ＤＴＳに示される時刻に復号し、ＰＴＳに示される時刻に再生する。
＜１−４．変形例＞
上述の放送受信カード１００では、ＳＣＫ端子１９５、ＳＤＡＴＡ端子１９６、ＰＳＹＮＣ端子１９７及びＤＥＮ端子１９８を通じて、クロック信号とＴＳパケット群とＴＳパケットの切り出しに要するデータとを一方的に伝送することとしたが、ここでは、ＰＳＹＮＣ端子１９７及びＤＥＮ端子１９８を削除した変形例について説明する。
【００５６】
図１２は、変形例における放送受信カードからホスト機器に送信されるＳＣＫ信号及びＳＤＡＴＡ信号についてのタイミングチャートである。
なお、同図には、図９に示したタイミングチャートをも付記している。
変形例における放送受信カードでは、出力インタフェース部を設けて、その出力インタフェース部により、前述のクロック発生部１２０及び放送受信部１３０から各端子に出力されようとする信号を参照し、図１２に示すようなＳＣＫ信号５１１をＳＣＫ端子を通じて、ＳＤＡＴＡ信号５１２をＳＤＡＴＡ端子を通じて、これらの２端子のみから出力する。即ち、出力インタフェース部は、ＳＤＡＴＡ信号はそのまま出力し、また、ＳＣＫ信号５１１として、ＳＤＡＴＡ信号がＴＳパケットを示している期間のみ、一定周期のクロックを表し、他の期間においては、ローレベルを連続して表すような信号を出力する。
【００５７】
これにより、ホスト機器側も、ＰＳＹＮＣ端子２９７及びＤＥＮ端子２９８を削除しておき、放送受信カードに呼応するＳＣＫ端子及びＳＤＡＴＡ端子のみがあれば、放送から得られたデータは適切に取得できる。即ち、ホスト機器のストリーム処理部において、受信したＳＣＫ信号から、ＰＳＹＮＣ５１４及びＤＥＮ５１３に相当する情報を得て参照することにより（図１２参照）、受信したＳＤＡＴＡ信号内のＴＳパケットを判別することが可能になり、ＰＣＲの検出やＰＥＳ化されたビデオストリーム等のストリームバッファへの格納を行うことができる。具体的には、ホスト機器側では、ＳＣＫ信号が連続したローレベルからハイレベルに切り替わった時点を、ＴＳパケットの開始時点と判定し、ＳＣＫ信号が連続したローレベルである期間以外の期間においてＴＳパケットが伝送されていると判定することができるため、ＴＳパケットを判別することができる。
＜２．実施の形態２＞
以下、本発明の実施の形態２に係る放送受信再生システムについて説明する。
【００５８】
実施の形態２に係る放送受信再生システムは、実施の形態１で示した放送受信再生システムと同様に、ホスト機器と、ホスト機器に着脱可能な放送受信カードとから構成される。但し、実施の形態２に係る放送受信再生システムは、ホスト機器と放送受信カードとの間での、ホスト機器からのクロック信号に同期した命令コマンド及びデータの送受信についてのプロトコルが相違する場合を想定したシステムである。
【００５９】
図１３は、実施の形態２に係る放送受信カードの機能ブロック図である。
放送受信カード６００は、ＭＰＥＧ２システム規格におけるＴＳの放送を受信する装置であり、制御部６１０、クロック発生部６２０、放送受信部６３０及び入出力用の各端子を備える。ここで、端子には、ＣＬＫ端子６９１、ＩＮＴ端子６９２、ＣＭＤ端子６９３、ＤＡＴ端子６９４、ＳＣＫ端子６９５、ＳＤＡＴＡ０端子６９６ａ、ＳＤＡＴＡ１端子６９６ｂ、・・・、ＳＤＡＴＡ７端子６９６ｈ等がある。
【００６０】
なお、放送受信カード６００は、実施の形態１に示した放送受信カード１００と基本的に同様の機能を有している。即ち、制御部６１０、クロック発生部６２０及び放送受信部６３０は制御部１１０、クロック発生部１２０及び放送受信部１３０に相当する機能を有する。
ここでは、放送受信カード６００に特有な事項について重点をおいて説明することとする。
【００６１】
プロトコル変換部６９０は、制御部６１０とホスト機器との間での送受信のプロトコルが相違する場合に、その差異を吸収する機能を有する。
クロック発生部６２０により発生されるクロック信号の周波数は、実施の形態１のクロック発生部１２０により発生されるクロック信号の周波数より低く、例えば１／８である。
【００６２】
放送受信部６３０は、実施の形態１で示した放送受信部１３０と同様に、クロック発生部により発生されたクロック信号に同期して、放送信号からＴＳパケット群を逐次抽出してそのＴＳパケット群等のデータを出力するのであるが、クロック発生部６２０から伝えられる１クロックにつき８ビット即ち１バイト分のデータを放送信号から抽出して、各ビットをＳＤＡＴＡ０端子６９６ａ〜ＳＤＡＴＡ７端子６９６ｈを通じて伝送する。
【００６３】
これにより、ＳＣＫ端子６９５から出力されるクロック（ＳＣＫ）信号における１クロックにつき、ＳＤＡＴＡ０〜７の各端子より合計１バイトのＴＳパケット群等のデータがホスト機器に伝送される。
従って、ホスト機器は、ＳＣＫ端子から伝送されるクロック信号に同期して、ＳＤＡＴＡ０〜７の各端子から伝送されるＴＳパケットデータを受信し、その後は、実施の形態１で示したようにＰＣＲの検出、ＳＴＣの調整、ビデオストリーム及びオーディオストリームのＤＴＳ或いはＰＴＳに示されたタイミングでの復号、再生等を行う。
＜３．実施の形態３＞
以下、本発明の実施の形態３に係る放送受信再生システムについて説明する。
【００６４】
実施の形態３に係る放送受信再生システムは、実施の形態１で示した放送受信再生システムと同様に、ホスト機器と、ホスト機器に着脱可能な放送受信カードとから構成される。但し、実施の形態３に係る放送受信再生システムにおけるホスト機器は、ＳＤカードスロットを備える携帯情報端末であり、また、放送受信カードは、ＳＤＩＯカードである。
【００６５】
図１４は、実施の形態３に係る放送受信カードの機能ブロック図である。
放送受信カード７００は、ＭＰＥＧ２システム規格におけるＴＳの放送を受信する装置たるＳＤＩＯカードであり、制御部７１０、クロック発生部７２０、放送受信部７３０及び入出力用の各端子を備える。ここで、端子には、ＳＤＩＯ規格に準拠したＣＬＫ端子７９１、ＣＭＤ端子７９３、ＤＡＴ０端子７９４、ＤＡＴ１端子７９５、ＤＡＴ２端子７９６等がある。
【００６６】
なお、放送受信カード７００は、実施の形態１に示した放送受信カード１００と基本的に同様の機能を有している。即ち、制御部７１０、クロック発生部７２０及び放送受信部７３０は制御部１１０のうちＩＮＴ端子に係る部分を除く部分、クロック発生部１２０及び放送受信部１３０に相当する機能を有する。
ここでは、放送受信カード７００に特有な事項について重点をおいて説明することとする。
【００６７】
制御部７１０は、ホスト機器との間で、ＣＬＫ端子７９１を通じて受信するホスト機器からのクロック信号（ＣＬＫ）に同期して、ＣＭＤ端子７９３を通じて命令コマンドを受信し、これに応答するデータや他のデータ等をＤＡＴ０端子７９４を通じて送信又は受信する。制御部７１０は、例えば、カードの機能種別を問い合わせる命令コマンドに対して放送受信機能を有する旨の応答データを返却する。つまり、ＤＡＴ０端子７９４を通じてのデータの送受信は、ＣＬＫ端子７９１を通じてホスト機器から送られるクロック信号に同期して行われる。
【００６８】
クロック発生部７２０は発生したクロック信号をＤＡＴ１端子７９５を通じてホスト機器に伝送する。
放送受信部７３０は、実施の形態１で示した放送受信部１３０と同様に、クロック発生部７２０により発生されたクロック信号に同期して、放送信号からＴＳパケット群を逐次抽出してそのＴＳパケット群等のデータをＤＡＴ２端子７９６を通じて、ホスト機器に伝送する。
【００６９】
この放送受信カードを装着するホスト機器は、一定周期のクロック信号（ＣＬＫ）をＣＬＫ端子７９１に与え、カードの機能種別を問い合わせる命令コマンド（ＣＭＤ）や受信すべき周波数を指定する命令コマンド（ＣＭＤ）等をＣＭＤ端子７９３に与え、カードの制御に必要なデータ（ＤＡＴ０）をＤＡＴ端子７９４に与える又はカードからのデータ（ＤＡＴ０）をＤＡＴ端子７９４から受信することにより、一般的なＳＤＩＯカードの制御を行う。
【００７０】
更に、ホスト機器は、命令コマンドへの応答データにより、装着されているカードが放送受信機能を有する放送受信カード７００であると判定した場合には、ＤＡＴ１端子７９５からクロック信号を受信し、このクロック信号に同期してＤＡＴ２端子７９６からＴＳパケットを含むストリームデータを受信して、その後は、実施の形態１で示したようにＰＣＲの検出、ＳＴＣの調整、ビデオストリーム及びオーディオストリームのＤＴＳ或いはＰＴＳに示されたタイミングでの復号、再生等を行う。なお、ホスト機器は、放送受信カード７００以外のＳＤＩＯカードを装着している場合には、そのＳＤＩＯのＤＡＴ１端子及びＤＡＴ２端子を、必要に応じて、ホスト機器側のクロック信号に同期したデータ送受信用の経路として用いる。
＜４．他の変形例＞
以上、本発明に係る放送受信再生システム及び放送受信装置について、実施の形態１〜３に基づいて説明したが、本発明は、勿論これらの実施の形態に限られない。以下、実施の形態の変形に関して説明する。
（１）各実施の形態で示した放送受信カードは、内蔵アンテナ又は外部アンテナを介して放送波を受信するものとしたが、ケーブルを通じて放送信号を受信するものであってもよい。
（２）各実施の形態では、放送受信カードの受信対象となるビデオストリーム、オーディオストリーム等はＭＰＥＧ２システム規格におけるＴＳとして多重化され放送されていることとしたが、同規格におけるプログラムストリーム（ＰＳ：Ｐｒｏｇｒａｍ　Ｓｔｒｅａｍ）として放送されていることとしてもよく、この場合には、放送受信カードは、内部で発生したクロックに同期して、ＰＳをそのクロック信号とともに、ＳＤＡＴＡ端子等の専用の端子を通じてホスト機器に逐次伝送し、ホスト機器側では、ＰＣＲの代わりにＰＳ内のパックヘッダからＳＣＲ（Ｓｙｓｔｅｍ　Ｃｌｏｃｋ　Ｒｅｆｅｒｅｎｃｅ）を検出して、ＳＴＣの調整に用いる。なお、放送受信カードは、放送がＭＰＥＧ２システム規格に準拠していない場合であっても、放送する信号に含まれる映像データ等の再生機能を有するホスト装置内の時計を、放送側で調整することを目的として放送する信号にその調整用のデータが含まれている場合には、放送信号を一定周期の内部クロックに基づいて専用のラインを通じてホスト機器に伝送するので有用である。
（３）各実施の形態で示した放送受信カードつまり放送受信装置は、ホスト機器のＰＣカードスロット或いはＳＤカードスロットに装着できる形状を有しており、これは従来の一般的なインタフェースを活用できる点で有用であるが、放送受信装置は、ホスト機器に着脱可能であれば、他の形状、例えば、スティック状の形状等であってもよい。着脱可能な放送受信装置は、１つのホスト機器に専用の装置ではなく、他のホスト機器に装着して利用され得るし、ホスト機器における放送受信装置を装着するためのインタフェース部分は、その形状面において、放送受信装置以外の装置、例えばメモリカード等を、装着するためにも利用され得る。
【００７１】
なお、ホスト機器と、それに着脱可能な付随装置との間では、付随装置の機能動作を制御するために、命令コマンド、応答データ、制御データ等が、一定のプロトコルに従って送受信されるよう相互インタフェースが規定されるが、本発明に係る放送受信装置は、その他に、放送を受信して得られたデータを一方的にホスト機器に伝送するインタフェースを有するものであれば、物理インタフェースとなる両者の端子間は物理的に接触するのみに限られず、例えば端子間で光により伝送が行われるように構成されてもよい。
（４）放送受信カードがＴＳパケットをホスト機器に対して伝送するラインは、１本や８本に限定されることはなく、４本でも何本でもよい。また、ＴＳパケットを伝送するライン毎に、１つのクロック信号を伝送するラインを設けても良い。
【００７２】
また、各実施の形態ではＳＣＫ端子を通じて放送受信カードが、ＴＳパケット群と並列にクロック信号をホスト機器に対して伝送することとしたが、これにより、放送受信カードとホスト機器との間でのデータ伝送の遅延が各瞬時においてもし小さく変動した場合であっても、ホスト機器側で精度良くＰＣＲの受信タイミングを反映して、ＰＣＲを検出することができるようになり、精度良くＳＴＣの調整が行える。しかし、放送受信カードがクロック信号をホスト機器に対して伝送するラインを省くこともでき、放送受信カードは、クロック信号については出力しないが、放送信号から一定周期のクロックに基づいて逐次得られたデジタルデータ、つまりＴＳパケット等については、そのまま専用のラインを通じてホスト機器に伝送するというようにしてもよい。この場合には、ホスト機器は内部のクロックを利用して、放送受信カードから逐次送られるＴＳパケットを受信しその内容を識別してＰＣＲの検出等を行うことになる。
（５）各実施の形態では、放送受信カードは、ホスト機器から電力の供給を受けて作動することとした。これは放送受信カードの小型化に有用な面を有するが、必ずしもホスト機器から電力の供給を受ける必要はなく、外部電源又は内蔵した電池等から電力を得て作動することとしてもよい。
（６）実施の形態１では、ＣＭＤ端子を通じてホスト機器から放送受信カードへの命令コマンドの送信がなされ、ＤＡＴ端子は、ホスト機器に対するデータの送信とホスト機器からのデータの受信とに共用されることとしたが、放送受信カードにおける１つの端子を通じて、ホスト機器から放送受信カードへの命令コマンドの送信と、放送受信カードからのホスト機器への応答データの送信とが行われることとしてもよい。
（７）放送受信カードの放送受信部は、ＴＳパケット間にはパリティデータを埋めて送出することとしたが、このパリティデータを、値に特段の意味のないデータ、つまりＴＳパケット間の時間を埋めるためのパディングデータであることとしてもよい。
【００７３】
【発明の効果】
以上説明したように本発明は、機器に着脱可能であり、機器に装着されて当該機器から電力を供給されて作動する放送受信装置であって、伝送用端子と、所定周期で伝送基準クロック信号を発生する伝送基準クロック発生手段と、再生時刻調整用の情報を含むストリームデータについての放送信号を継続的に受信して、当該放送信号からストリームデータを、前記伝送基準クロック信号に同期して、抽出して前記伝送用端子を通じて前記機器へ伝送する受信伝送手段とを備えることを特徴とする。
【００７４】
これにより、ホスト機器にセットされた放送受信装置から、ホスト機器に、一定周期のクロック信号に同期して、放送信号から抽出されたストリームデータが伝送されるため、そのストリームデータにその受信タイミングをも必要要件とする時刻制御用の情報が含まれている場合において、ホスト機器側で精度良くその時刻制御用の情報を検出することができるようになる。従って、ホスト機器は、例えばストリームデータの再生時刻を特定する基準となるホスト機器内の時計を、精度良く調整することができるようになる。
【００７５】
ここで、前記放送受信装置は更に、伝送クロック出力端子を備え、前記伝送基準クロック発生手段は、発生した前記伝送基準クロック信号を前記伝送クロック出力端子を通じて前記機器に送信することとしてもよい。
これにより、放送受信装置から伝送されるストリームデータを受信するホスト機器は、その受信タイミングを、伝送基準クロック信号により正確に特定することができるようになるため、ストリームデータ中のＰＣＲ等の、受信タイミングの正確性が重要なデータを適切に検出できるようになる。
【００７６】
また、前記放送受信装置は更に、１又は複数の通信用端子と、放送信号の選定に係る制御データを含む１以上の制御データを前記通信用端子のいずれか１以上を通じて前記機器から逐次受信し、当該制御データに対する応答データを当該通信用端子のいずれか１以上を通じて当該機器へ送信する通信手段とを備え、前記受信伝送手段の受信対象は、前記通信手段により受信されたいずれかの制御データに応じて選定される放送信号であることとしてもよい。
【００７７】
これにより、受信すべき周波数の指定等の制御データや命令コマンド等をホスト機器から放送受信装置が受けて、放送受信装置からその命令コマンドに対する応答データ等を返却するという一般的な相互インタフェースを有しながら、放送受信装置は、更に放送受信で得たストリームデータを所定周波数のクロックに同期して一方的にホスト機器に伝送するので、例えば一般的なＰＣカードやＳＤＩＯカード等の規格にある程度適合しながらも、放送から得られたストリームデータをホスト機器に遅延の変動なく伝送する効果を有する放送受信装置が実現されることになる。
【００７８】
また、前記放送受信装置は更に、制御クロック受信用端子を備え、前記通信手段は、前記制御クロック受信用端子を通じて前記機器から継続的に制御クロック信号を受信し、前記制御クロック信号に同期して、前記制御データの受信及び応答データの送信を行うこととしてもよい。
これにより、放送受信装置は、ホスト機器に装着されて作動するような付随的装置において一般的であるところの、ホスト機器からのクロック信号に同期してホスト機器との間でのデータの送受を行うようなインタフェースを有した上に、放送から得られたストリームデータを、独自の一定周期のクロックに同期して伝送するので、ホスト機器は、放送受信装置を、他の付随的装置と交換して装着した状態においては、放送されたストリームデータを、それに含まれる時刻調整用の情報を利用することにより、放送側で予定された適正な時刻に再生することができるようになる。
【００７９】
また、前記受信伝送手段は、アンテナを介して前記放送信号を受信し、前記ストリームデータは、トランスポートストリームであり、前記再生時刻調整用の情報は、プログラムクロックリファレンスであることとしてもよい。
これにより、放送受信装置は、ＭＰＥＧ２システム規格に準拠して伝送される一般的なデジタル放送を受信して、ホスト機器に放送内容の映像データ及び音声データを適切な時刻で復号及び再生させることができるようになる。
【００８０】
また、前記放送受信装置は更に、割込信号通知用端子と、所定の割込要因の発生を検知し、当該発生が検知された時に、前記割込信号通知用端子を通じて前記機器に割込信号を通知する割込通知手段とを備えることとしてもよい。
これにより、ホスト機器に着脱可能な付随的装置としての放送受信装置は、放送されたストリームデータをホスト機器に伝送する伝送路の他に、割込信号をホスト機器に通知する伝送路を有するので、ホスト機器は、割込信号を受信することにより、例えば放送受信装置において何らかのエラーが生じたこと等を検出することができるようになる。
【００８１】
また、前記放送受信装置は、前記機器の有するＰＣカード規格に準拠したＰＣカードスロットに装着できる装置形状を有することとしてもよい。
これにより、この放送受信装置を装着させることにより、ＰＣカードスロットを有し、かつストリームデータの再生機能を有するホスト機器に、放送された映像や音声を適切な時刻において再生させることができるようになる。
【００８２】
また、前記放送受信装置は、前記機器の有するＳＤＩＯ規格に準拠したＳＤカードスロットに装着できる装置形状を有することとしてもよい。
これにより、この放送受信装置を装着させることにより、ＳＤカードスロットを有し、かつストリームデータの再生機能を有するホスト機器に、放送された映像や音声を適切な時刻において再生させることができるようになる。
【００８３】
また、本発明に係る放送受信再生システムは、再生基準クロック調整用情報及び再生時刻指定情報を含むストリームデータについての放送信号を受信する放送受信装置と、装着スロットに装着された前記放送受信装置からストリームデータを取得して再生する再生装置とを備える放送受信再生システムであって、前記放送受信装置は、伝送用端子と、所定周期で伝送基準クロック信号を発生する伝送基準クロック発生手段と、放送信号を継続的に受信して、当該放送信号からストリームデータを、前記伝送基準クロック信号に同期して、抽出して前記伝送用端子を通じて前記再生装置へ伝送する受信伝送手段とを有し、前記再生装置は、前記放送受信装置を着脱可能なスロットであり、前記伝送用端子に対応するストリームデータ端子を含む装着スロットと、前記ストリームデータ端子を通じて前記放送受信装置から伝送されるストリームデータを取得するストリームデータ取得手段と、基準周波数の再生基準クロック信号を発生し、当該再生基準クロック信号をカウントすることにより再生基準時刻を計時する再生基準時刻計時手段と、前記ストリームデータ端子を通じて、前記放送受信装置からストリームデータ中の再生基準クロック調整用情報が伝送された時と、当該再生基準クロック調整用情報の内容と、前記再生基準時刻計時手段により計時された再生基準時刻とを参照することにより、前記基準周波数を調整する再生基準クロック調整手段と、前記再生基準時刻計時手段により計時された再生基準時刻に基づき、前記ストリームデータ取得手段により取得されたストリームデータを、当該ストリームデータ中の再生時刻指定情報に応じた時刻に合わせて再生する再生手段とを有することを特徴とする。
【００８４】
これにより、再生装置のスロットに挿入された放送受信装置から、再生装置に、一定周期のクロック信号に同期して、放送信号から抽出されたストリームデータが伝送されるため、そのストリームデータにその受信タイミングをも必要要件とする時刻制御用の情報が含まれている場合において、再生装置側で精度良くその時刻制御用の情報を検出することができるようになり、この結果として、再生装置は、ストリームデータの再生基準時刻を計時する内部時計を、精度良く調整することができ、適切な時刻にストリームデータを再生することができるようになる。
【００８５】
ここで、前記放送受信装置は、更に伝送クロック出力端子を有し、前記伝送基準クロック発生手段は、発生した前記伝送基準クロック信号を前記伝送クロック出力端子を通じて前記再生装置に送信し、前記装着スロットは、更に前記伝送クロック出力端子に対応する伝送クロック入力端子を含み、前記ストリームデータ取得手段は、前記伝送クロック入力端子を通じて伝送基準クロック信号を受信し、前記ストリームデータを当該伝送基準クロック信号に同期して取得することとしてもよい。
【００８６】
これにより、放送受信装置から伝送されるストリームデータを受信する再生装置は、その受信タイミングを、伝送基準クロック信号により正確に特定することができるようになるため、例えばストリームデータ中のＰＣＲ等の、受信タイミングの正確性が重要なデータを適切に検出できるようになり、ＰＣＲを用いて再生基準時刻の計時を調整することにより、適切な時刻にストリームデータを再生することができるようになる。
【００８７】
また、本発明に係る放送受信装置は、機器に着脱可能であり、機器に装着されて作動し、機器から命令コマンドにより制御される放送受信装置であって、再生時刻調整用の情報を含むストリームデータについての放送信号を継続的に受信して、当該放送信号からストリームデータを、一定周期の伝送基準クロック信号に同期して、抽出して前記機器へ伝送する受信伝送手段を備えることを特徴とする。
【００８８】
これにより、ホスト機器にセットされた放送受信装置から、ホスト機器に、一定周期のクロック信号に同期して、放送信号から抽出されたストリームデータが伝送されるため、そのストリームデータにその受信タイミングをも必要要件とする時刻制御用の情報が含まれている場合において、ホスト機器側で精度良くその時刻制御用の情報を検出して利用することができるようになる。
【図面の簡単な説明】
【図１】従来の放送受信再生装置の機能構成図である。
【図２】本発明の実施の形態１に係る放送受信再生システムの概観図である。
【図３】放送受信カード及びホスト機器の機能ブロック図である。
【図４】エレメンタリストリーム（ＥＳ）とトランスポートストリーム（ＴＳ）パケットとの関係を示す図である。
【図５】パケット化されたエレメンタリストリーム（ＰＥＳ）とＴＳとの関係を示す図である。
【図６】ＴＳパケットのデータ構成を示す図である。
【図７】ホスト機器と放送受信カードとの間で送受信される命令コマンド及び応答データの構成の一例を示す図である。
【図８】ホスト機器と放送受信カードとの間で送受信される各信号についてのタイミングチャートである。
【図９】放送受信カードからホスト機器に送信される各信号についてのタイミングチャートである。
【図１０】放送受信カードの行う制御処理及び放送受信処理を示すフローチャートである。
【図１１】ストリーム処理部により行われるストリーム処理を示すフローチャートである。
【図１２】変形例における放送受信カードからホスト機器に送信されるクロック信号（ＳＣＫ）及びデータ信号（ＳＤＡＴＡ）についてのタイミングチャートである。
【図１３】本発明の実施の形態２に係る放送受信カードの機能ブロック図である。
【図１４】本発明の実施の形態３に係る放送受信カードの機能ブロック図である。
【符号の説明】
１００、６００、７００　放送受信カード
１１０、６１０、７１０　制御部
１２０、６２０、７２０　クロック発生部
１３０、６３０、７３０　放送受信部
１３１　アンテナ
１９１、２９１、６９１、７９１　ＣＬＫ端子
１９２、２９２、６９２　ＩＮＴ端子
１９３、２９３、６９３、７９３　ＣＭＤ端子
１９４、２９４、６９４、７９４　ＤＡＴ端子
１９５、２９５、６９５　　ＳＣＫ端子
１９６、２９６　ＳＤＡＴＡ端子
１９７、２９７　ＰＳＹＮＣ端子
１９８、２９８　ＤＥＮ端子
２００　ホスト機器
２０１　ＰＣカードスロット
２０２　ディスプレイ
２１０　カードＩ／Ｆ部
２２０　ストリーム処理部
２２１　時刻情報検出部
２３０　ストリームバッファ
２４０　ストリーム再生部
２５１　時刻カウント部
２５２　基準周波数制御部
２５３　発振器
６９０　プロトコル変換部
６９６ａ〜６９６ｈ　ＳＤＡＴＡ０〜７端子
７９５　ＤＡＴ１端子
７９６　ＤＡＴ２端子
【図１】
2004088745.tif 000003
【図２】
2004088745.tif 000004
【図３】
2004088745.tif 000005
【図４】
2004088745.tif 000006
【図５】
2004088745.tif 000007
【図６】
2004088745.tif 000008
【図７】
2004088745.tif 000009
【図８】
2004088745.tif 000010
【図９】
2004088745.tif 000011
【図１０】
2004088745.tif 000012
【図１１】
2004088745.tif 000013
【図１２】
2004088745.tif 000014
【図１３】
2004088745.tif 000015
【図１４】
2004088745.tif 000016